(57)【要約】【課題】空気調和機と除湿機とを利用してより効率的に除湿するための技術を提供する。【解決手段】冷房機能を利用した除湿機能を有する空気調和機２００と、除湿機能を有する除湿機３００とを備え、空気調和機２００が除湿運転をＯＦＦする際に、除湿機３００が除湿運転の強度を上げるまたは除湿運転をＯＮする、除湿システム１が提供される。【選択図】図１
2022000600.tif 000002
【特許請求の範囲】
【請求項１】
冷房機能を利用した除湿機能を有する空気調和機と、
除湿機能を有する除湿機とを備え、
前記空気調和機が除湿運転をＯＦＦする際に、前記除湿機が除湿運転の強度を上げるまたは除湿運転をＯＮする、除湿システム。
【請求項２】
前記空気調和機が除湿運転をＯＮする際に、前記除湿機が除湿運転の強度を下げるまたは除湿運転をＯＦＦする、請求項１に記載の除湿システム。
【請求項３】
前記空気調和機は、除湿運転をＯＦＦする際に、前記除湿機が除湿運転の強度を上げるまたは除湿運転をＯＮしてから除湿運転をＯＦＦする、請求項１または２に記載の除湿システム。
【請求項４】
前記除湿機のタンクの水量が所定以上である場合に、前記空気調和機は設定温度を下げて除湿運転を実行する、請求項３に記載の除湿システム。
【請求項５】
冷房機能を利用する除湿機能を有する空気調和機と、
除湿機能を有する除湿機とを備え、
前記除湿機が除湿運転をＯＦＦする際に、前記空気調和機が除湿運転を開始する、除湿システム。
【発明の詳細な説明】
【技術分野】
【０００１】
本発明は、空気調和機および／または除湿機を利用して除湿するための技術に関する。
【背景技術】
【０００２】
従来から、空気調和機および／または除湿機を利用して除湿するための技術が提案されている。たとえば、特開平１１−２１１２０６号公報（特許文献１）には、空気調和機の制御方法が開示されている。特許文献１によると、空気調和機の冷房・ドライ運転時に、室内機制御装置の制御部は、圧縮機の回転数が１８ｒｐｓ以下と低く、かつ室内機の熱交温度センサ部による検出熱交温度が１５℃より高い場合、それまで連続回転していた室内ファンを間欠的に回転制御に切り換え、室内熱交換器の温度を低く抑える。また、室内機の熱交温度が所定時間連続して所定値（３℃）以下になったときには室内ファンを通常の連続回転制御に戻す。
【先行技術文献】
【特許文献】
【０００３】
【特許文献１】特開平１１−２１１２０６号公報
【発明の概要】
【発明が解決しようとする課題】
【０００４】
本発明の目的は、空気調和機と除湿機とを利用してより効率的に除湿するための技術を提供することにある。
【課題を解決するための手段】
【０００５】
この発明のある態様に従うと、冷房機能を利用した除湿機能を有する空気調和機と、除湿機能を有する除湿機とを備え、空気調和機が除湿運転をＯＦＦする際に、除湿機が除湿運転の強度を上げるまたは除湿運転をＯＮする、除湿システムが提供される。
【発明の効果】
【０００６】
以上のように、本発明によれば、空気調和機と除湿機とを利用してより効率的に除湿するための技術が提供される。
【図面の簡単な説明】
【０００７】
【図１】第１の実施の形態にかかる除湿システム１の全体構成を示すイメージ図である。
【図２】第１の実施の形態にかかる空気調和機２００の構成を示すブロック図である。
【図３】第１の実施の形態にかかる除湿機３００の構成を示すブロック図である。
【図４】第１の実施の形態にかかる空気調和機２００と除湿機３００の制御を示すフローチャートである。
【図５】第３の実施の形態にかかるサーバ１００の構成を示すブロック図である。
【図６】第３の実施の形態にかかるユーザ情報データを示す図である。
【図７】第３の実施の形態にかかる機器情報データを示す図である。
【図８】第３の実施の形態にかかるサーバ１００の処理手順を示すフローチャートである。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜除湿システムの全体構成＞
【０００９】
まず、本実施の形態にかかる除湿システム１の全体構成について説明する。図１を参照して、除湿システム１は、主に、冷房機能や除湿機能や暖房機能や送風機能などを有する空気調和機２００と、除湿機能を有する除湿機３００とを含む。空気調和機２００と除湿機３００とは、直接的にＢｌｕｅｔｏｏｔｈ（登録商標）通信によってデータを送受信したり、ルータ４００を介してＷｉＦｉ（登録商標）通信によってデータを送受信したりする。
【００１０】
そして特に本実施の形態においては、空気調和機２００と除湿機３００とが協働して、室内の除湿を行うものである。以下では、本実施の形態にかかる除湿システム１を構成する各装置の構成や機能について説明する。
＜空気調和機２００の構成＞
【００１１】
図２を参照して、除湿システム１を構成する空気調和機２００の構成の一態様について説明する。本実施の形態にかかる空気調和機２００は、主たる構成要素として、ＣＰＵ（Central Processing Unit）２１０と、メモリ２２０と、ディスプレイ２３０と、操作部２４０と、通信インターフェイス２６０と、スピーカ２７０と、温度センサ２８１と、湿度センサ２８２と、空気調和機構２９０とを含む。
【００１２】
ＣＰＵ２１０は、メモリ２２０あるいは外部の記憶媒体に記憶されているプログラムを実行することによって、空気調和機２００の各部を制御する。
【００１３】
メモリ２２０は、各種のＲＡＭ（Random Access Memory）、各種のＲＯＭ（Read‐Only Memory）などによって実現される。メモリ２２０は、ＣＰＵ２１０によって実行されるプログラムや、ＣＰＵ２１０によるプログラムの実行により生成されたデータ、操作部２４０を介して入力されたデータ、リモコンから受信したデータ、ルータ４００やインターネットを介してサーバ１００から受信したデータ、各種サービスを利用するために必要な情報などを記憶する。
【００１４】
ディスプレイ２３０は、ＣＰＵ２１０からの信号に基づいて、文字や画像などを出力する。なお、ディスプレイ２３０は、単にＬＥＤライトなどであってもよい。
【００１５】
操作部２４０は、ボタン、タッチパネルなどによって実現され、ユーザからの命令を受け付けて、当該命令をＣＰＵ２１０に入力する。なお、ディスプレイ２３０と操作部２４０とは、タッチパネル２５０を構成してもよい。操作部２４０は、リモコン受光部を含んでもよい。
【００１６】
通信インターフェイス２６０は、Ｂｌｕｅｔｏｏｔｈ（登録商標）通信やＷｉＦｉ（登録商標）通信などの無線通信を行うためのアンテナや、有線通信を行うためのコネクタなどによって実現される。ＣＰＵ２１０は、通信インターフェイス２６０を利用することによって、ルータ４００やインターネットなどを介して、サーバや除湿機３００などの他の装置と各種のデータをやり取りする。たとえば、ＣＰＵ２１０は、通信インターフェイス２６０を介して、動作状態や環境情報を他の装置に送信したり、遠隔制御命令を他の装置から受信したりする。通信インターフェイス２６０は、リモコン受光部を含んでもよい。
【００１７】
スピーカ２７０は、ＣＰＵ２１０からの音声データに基づいて音声メッセージなどを出力する。
【００１８】
温度センサ２８１は、空気調和機２００の周囲の温度を測定して、測定結果をＣＰＵ２１０に入力する。
【００１９】
湿度センサ２８２は、空気調和機２００の周囲の湿度を測定して、測定結果をＣＰＵ２１０に入力する。
【００２０】
空気調和機構２９０は、ＣＰＵ２１０からの信号に基づいて、空気調和機２００の各部、たとえば圧縮機のモータや室外ファンや室内ファンや膨張弁や風向き変更機構やイオン発生装置など、を制御する。
＜除湿機３００の構成＞
【００２１】
次に、図３を参照して、除湿システム１を構成する除湿機３００の構成の一態様について説明する。本実施の形態にかかる除湿機３００は、主たる構成要素として、ＣＰＵ３１０と、メモリ３２０と、ディスプレイ３３０と、操作部３４０と、通信インターフェイス３６０と、スピーカ３７０と、湿度センサ３８２と、タンク水量センサ３８３と、除湿機構３９０とを含む。
【００２２】
ＣＰＵ３１０は、メモリ３２０あるいは外部の記憶媒体に記憶されているプログラムを実行することによって、除湿機３００の各部を制御する。
【００２３】
メモリ３２０は、各種のＲＡＭ、各種のＲＯＭなどによって実現される。メモリ３２０は、ＣＰＵ３１０によって実行されるプログラムや、ＣＰＵ３１０によるプログラムの実行により生成されたデータ、操作部３４０を介して入力されたデータ、リモコンから受信したデータ、ルータ４００やインターネットを介してサーバ１００から受信したデータ、各種サービスを利用するために必要な情報などを記憶する。
【００２４】
ディスプレイ３３０は、ＣＰＵ３１０からの信号に基づいて、文字や画像などを出力する。なお、ディスプレイ３３０は、単にＬＥＤライトなどであってもよい。
【００２５】
操作部３４０は、ボタン、タッチパネルなどによって実現され、ユーザからの命令を受け付けて、当該命令をＣＰＵ３１０に入力する。なお、ディスプレイ３３０と操作部３４０とは、タッチパネル３５０を構成してもよい。操作部３４０は、リモコン受光部を含んでもよい。
【００２６】
通信インターフェイス３６０は、Ｂｌｕｅｔｏｏｔｈ（登録商標）通信やＷｉＦｉ（登録商標）通信などの無線通信を行うためのアンテナや、有線通信を行うためのコネクタなどによって実現される。ＣＰＵ３１０は、通信インターフェイス３６０を利用することによって、ルータ４００やインターネットなどを介して、サーバや空気調和機２００などの他の装置と各種のデータをやり取りする。たとえば、ＣＰＵ３１０は、通信インターフェイス３６０を介して、動作状態や環境情報を他の装置に送信したり、遠隔制御命令を他の装置から受信したりする。通信インターフェイス３６０は、リモコン受光部を含んでもよい。
【００２７】
スピーカ３７０は、ＣＰＵ３１０からの音声データに基づいて音声メッセージなどを出力する。
【００２８】
湿度センサ３８２は、除湿機３００の周囲の湿度を測定して、測定結果をＣＰＵ３１０に入力する。
【００２９】
タンク水量センサ３８３は、除湿運転によって蓄えられたタンクの水の量を測定して、測定結果をＣＰＵ３１０に入力する。
【００３０】
除湿機構３９０は、ＣＰＵ３１０からの信号に基づいて、除湿機３００の各部、たとえばファンや除湿フィルターや風向き変更機構やイオン発生装置など、を制御する。
＜空気調和機２００と除湿機３００の情報処理＞
【００３１】
次に、図４を参照して、本実施の形態にかかる空気調和機２００と除湿機３００における情報処理について説明する。本実施の形態にかかる空気調和機２００のＣＰＵ２１０は、メモリ２２０のプログラムに従って以下の処理を実行し、除湿機３００のＣＰＵ３１０は、メモリ３２０のプログラムに従って以下の処理を実行する。
【００３２】
まず、空気調和機２００のＣＰＵ２１０は、湿度センサ２８２の測定値に基づいて、設定されている目標湿度よりも現在の湿度が高いか否かを判断する（ステップＳ１０２）。目標湿度よりも現在の湿度が高くない場合（ステップＳ１０２にてＮＯである場合）、除湿運転を実行する必要はない。
【００３３】
一方、目標湿度よりも現在の湿度が高い場合（ステップＳ１０２にてＹＥＳである場合）、ＣＰＵ２１０は、冷房運転を行うことによって除湿運転を実行する（ステップＳ１０４）。このとき、室内ファンの回転数を下げたり、停止させたりしてもよい。
【００３４】
ＣＰＵ２１０は、温度センサ２８１の測定値に基づいて、設定温度よりも現在の温度が高いか否かを判断する（ステップＳ１０６）。設定温度よりも現在の温度が高い場合（ステップＳ１０６にてＹＥＳである場合）、ＣＰＵ２１０は、空気調和機２００による除湿運転を継続する。
【００３５】
設定温度よりも現在の温度が高くない場合（ステップＳ１０６にてＮＯである場合）、ＣＰＵ２１０は、除湿運転を停止する（ステップＳ１０８）。
【００３６】
ＣＰＵ２１０は、通信インターフェイス２６０を介して、除湿機３００に除湿運転の要請を行う（ステップＳ１１０）。
【００３７】
なお、ＣＰＵ２１０は、設定温度よりも現在の温度が高くない場合（ステップＳ１０６にてＮＯである場合）、通信インターフェイス２６０を介して、除湿機３００に除湿運転の要請を行ってから、除湿運転を停止することも好ましい。あるいは、ＣＰＵ２１０は、当該除湿機３００の要請の後に、通信インターフェイス２６０を介して、除湿機３００から除湿運転を開始した旨の情報を受け取ってから、除湿運転を停止することも好ましい。
【００３８】
除湿機３００のＣＰＵ３１０は、通信インターフェイス３６０を介して、空気調和機２００から除湿運転の要請を受けると、除湿運転を開始する（ステップＳ１１２）。なお、ＣＰＵ３１０は、除湿運転の強度を上げてもよい。
【００３９】
ＣＰＵ３１０は、タンク水量センサ３８３の測定値に基づいて、タンクの水量が満タンに近いか否かを判断する（ステップＳ１１４）。タンクの水量が満タンでない場合（ステップＳ１１４にてＮＯである場合）、ＣＰＵ３１０は、除湿機３００による除湿運転を継続する。
【００４０】
タンクの水量が満タンである場合（ステップＳ１１４にてＹＥＳである場合）、ＣＰＵ３１０は、除湿運転を停止する（ステップＳ１１６）。
【００４１】
ＣＰＵ３１０は、通信インターフェイス３６０を介して、空気調和機２００に除湿運転の要請を行う（ステップＳ１１８）。
【００４２】
なお、ＣＰＵ３１０は、タンクの水量が満タンである場合（ステップＳ１１４にてＹＥＳである場合）、通信インターフェイス３６０を介して、空気調和機２００に除湿運転の要請を行ってから、除湿運転を停止することも好ましい。あるいは、ＣＰＵ３１０は、当該空気調和機２００への要請の後に、通信インターフェイス３６０を介して、空気調和機２００から除湿運転を開始した旨の情報を受け取ってから、除湿運転を停止することも好ましい。
【００４３】
空気調和機２００のＣＰＵ２１０は、除湿機３００からの要請を受けると、設定温度を所定値だけ下げて（ステップＳ１２０）、冷房運転を行うことによって除湿運転を再開する（ステップＳ１２２）。
【００４４】
なお、ステップＳ１０８の空気調和機２００の除湿運転の停止から、ステップＳ１１８の除湿機３００による要請までの間に、室温が上がっている場合もあるため、ＣＰＵ２１０は、ステップＳ１２０の代わりにステップＳ１０４からの処理を繰り返してもよい。あるいは、ＣＰＵ２１０は、除湿機３００からの要請を受けた場合は、ステップＳ１０４を経てステップＳ１０６にて再度ＮＯとなった場合に、ステップＳ１２０の処理を実行してもよい。
【００４５】
このように、本実施の形態にかかる除湿システム１においては、タンクが満タンになることはないが室温を下げてしまう空気調和機と、室温を下げにくいがタンクが満タンになってしまう除湿機と、を連携させることによって、室温を下げ過ぎずに除湿を行うことができるものである。
＜第２の実施の形態＞
【００４６】
上記の実施の形態においては、室温が設定温度まで下がると除湿機３００に除湿を任せて、タンクの水が満タンになると空気調和機２００に除湿を任せるものであった。しかしながら、最初に除湿機３００によって除湿を開始してから、空気調和機２００に除湿を引き継いでもよい。
【００４７】
また、除湿の役割を空気調和機２００から除湿機３００に切り替えるトリガーや、除湿の役割を除湿機３００から空気調和機２００に切り替えるトリガーも、上記の実施の形態のものには限られない。
【００４８】
具体的には、他のトリガーに基づいて、空気調和機２００が除湿運転を停止した場合や運転強度を下げた場合に、除湿機３００が除湿運転を開始したり、運転強度を上げたりしてもよい。
【００４９】
あるいは、他のトリガーに基づいて、除湿機３００が除湿運転を停止した場合や運転強度を下げた場合に、空気調和機２００が除湿運転を開始したり運転強度を上げたりしてもよい。
【００５０】
さらには、他のトリガーに基づいて、たとえばステップＳ１１０の後で、室温が設定温度よりも高くなった場合などに、空気調和機２００のＣＰＵ２１０が冷房運転とともに除湿運転を開始して、その旨を除湿機３００に送信してもよい。除湿機３００のＣＰＵ３１０は、空気調和機２００からの情報に応じて、除湿運転を終了したり、運転強度を下げたりしてもよい。つまり、空気調和機２００が除湿を再開できる状況になると、除湿機３００から除湿の役割を返してもらう構成でもよい。
【００５１】
また、他のトリガーに基づいて、たとえばステップＳ１１８の後で、タンクの水が捨てられて空になったことを検知すると、除湿機３００のＣＰＵ３１０が除湿運転を開始したり強度を上げたりして、その旨を空気調和機２００に送信してもよい。空気調和機２００のＣＰＵ２１０は、除湿機３００からの情報に基づいて、除湿運転を停止したり、運転強度を下げたりしてもよい。つまり、除湿機３００が除湿を再開できる状況になると、空気調和機２００から除湿の役割を返してもらう構成でもよい。
＜第３の実施の形態＞
【００５２】
上記の実施の形態においては、空気調和機２００と除湿機３００とが直接的にデータをやり取りすることによって連携して除湿を行うものであった。しかしながら、サーバ１００が、空気調和機２００と除湿機３００とを遠隔制御することによって、両者を連携して除湿を行ってもよい。
【００５３】
図１を参照して、除湿システム１は、主に、冷房機能や除湿機能や暖房機能などを有する空気調和機２００と、除湿機能を有する除湿機３００と、家電制御サーバ１００とを含む。空気調和機２００と除湿機３００とは、ルータ４００やインターネットなどを介してサーバ１００とデータを送受信する。
【００５４】
空気調和機２００と除湿機３００の構成については、上記の実施の形態と同様であるため、ここでは説明を繰り返さない。
＜サーバ１００の構成＞
【００５５】
まず、本実施の形態にかかる除湿システム１を構成するサーバ１００の構成の一態様について説明する。図５を参照して、サーバ１００は、主たる構成要素として、ＣＰＵ１１０と、メモリ１２０と、操作部１４０と、通信インターフェイス１６０とを含む。
【００５６】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００５７】
メモリ１２０は、各種のＲＡＭ、各種のＲＯＭなどによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、入力されたデータ、その他の本実施の形態にかかるサービスに利用されるデータベースなどを記憶する。
【００５８】
たとえば、メモリ１２０は、図６に示すような、ユーザ情報データ１２１を記憶する。ユーザ情報データ１２１は、ユーザ毎に、ユーザＩＤと、ユーザ名と、家族ＩＤと、メールアドレスと、住所と、ユーザが加入している各種のサービスの識別情報やサービス内容などを格納する。
【００５９】
また、メモリ１２０は、図７に示すような、機器情報データ１２２を記憶する。機器情報データ１２２は、空気調和機２００や除湿機３００などの電気機器毎に、機器ＩＤと、機器の種類と、所有者のユーザＩＤと、設定温度と、現在の温度と、目標湿度と、現在の湿度と、タンクの水量と、現在の運転状態などを格納する。
【００６０】
図５に戻って、操作部１４０は、サービスの管理者などの命令を受け付けて、当該命令をＣＰＵ１１０に入力する。
【００６１】
通信インターフェイス１６０は、ＣＰＵ１１０からのデータを、インターネット、キャリア網、ルータなどを介して、空気調和機２００や除湿機３００などの他の装置に送信する。逆に、通信インターフェイス１６０は、インターネット、キャリア網、ルータなどを介して他の装置からのデータを受信して、ＣＰＵ１１０に受け渡す。
＜サーバ１００の情報処理＞
【００６２】
次に、図８を参照して、サーバ１００における情報処理について説明する。本実施の形態にかかるサーバ１００のＣＰＵ１１０は、メモリ１２０のプログラムに従って、以下の処理を実行する。
【００６３】
まず、ＣＰＵ１１０は、通信インターフェイス１６０を介して、空気調和機２００から湿度を取得して、目標湿度よりも現在の湿度が高いか否かを判断する（ステップＳ２０２）。目標湿度よりも現在の湿度が高くない場合（ステップＳ２０２にてＮＯである場合）、除湿運転を実行させる必要はない。
【００６４】
一方、目標湿度よりも現在の湿度が高い場合（ステップＳ２０２にてＹＥＳである場合）、ＣＰＵ１１０は、通信インターフェイス２６０を介して、空気調和機２００に冷房運転を行うことによって除湿運転を実行させる（ステップＳ２０４）。
【００６５】
ＣＰＵ１１０は、通信インターフェイス１６０を介して、空気調和機２００から設定温度と現在の温度を取得して、設定温度よりも現在の温度が高いか否かを判断する（ステップＳ２０６）。設定温度よりも現在の温度が高い場合（ステップＳ２０６にてＹＥＳである場合）、ＣＰＵ１１０は、通信インターフェイス１６０を介して、空気調和機２００による除湿運転を継続させる。
【００６６】
設定温度よりも現在の温度が高くない場合（ステップＳ２０６にてＮＯである場合）、ＣＰＵ１１０は、通信インターフェイス１６０を介して、空気調和機２００に除湿運転を停止させる（ステップＳ２０８）。
【００６７】
ＣＰＵ１１０は、通信インターフェイス１６０を介して、除湿機３００に除湿運転開始の要請、または除湿運転の強度を上げる要請を行う（ステップＳ２１０）。
【００６８】
なお、ＣＰＵ１１０は、設定温度よりも現在の温度が高くない場合（ステップＳ２０６にてＮＯである場合）、通信インターフェイス１６０を介して、除湿機３００に除湿運転開始の要請、または除湿運転の強度を上げる要請を行ってから、通信インターフェイス１６０を介して、空気調和機２００に除湿運転を停止させることも好ましい。あるいは、ＣＰＵ１１０は、当該空気調和機２００への要請の後に、通信インターフェイス１６０を介して、除湿機３００から除湿運転を開始した旨の情報、または除湿運転の強度を上げた旨の情報を受け取ってから、通信インターフェイス１６０を介して、空気調和機２００に除湿運転を停止させることも好ましい。
【００６９】
ＣＰＵ１１０は、通信インターフェイス１６０を介して、除湿機３００からタンクの水量を取得して、タンクの水量が満タンに近いか否かを判断する（ステップＳ２１４）。タンクの水量が満タンでない場合（ステップＳ２１４にてＮＯである場合）、ＣＰＵ１１０は、除湿機３００による除湿運転を継続させる。
【００７０】
タンクの水量が満タンである場合（ステップＳ２１４にてＹＥＳである場合）、ＣＰＵ１１０は、通信インターフェイス１６０を介して、除湿機３００に除湿運転を停止させる（ステップＳ２１６）。
【００７１】
ＣＰＵ１１０は、通信インターフェイス１６０を介して、空気調和機２００に、設定温度を所定値だけ下げる要請と除湿運転を実行する要請とを送信する（ステップＳ２１８）。
【００７２】
なお、タンクの水量が満タンである場合（ステップＳ２１４にてＹＥＳである場合）、ＣＰＵ１１０は、通信インターフェイス１６０を介して、空気調和機２００に、設定温度を所定値だけ下げる要請と除湿運転を実行する要請を送信してから、通信インターフェイス１６０を介して、除湿機３００に除湿運転を停止させることも好ましい。あるいは、ＣＰＵ１１０は、当該空気調和機２００への要請の後に、通信インターフェイス１６０を介して空気調和機２００から除湿運転を実行した旨の情報を受信してから、通信インターフェイス１６０を介して除湿機３００に除湿運転を停止させることも好ましい。
【００７３】
なお、ステップＳ２０８の空気調和機２００の除湿運転の停止から、ステップＳ２１６の除湿機３００の除湿運転の停止までの間に、室温が上がっている場合もあるため、ステップＳ２１８の代わりにステップＳ２０４からの処理を繰り返してもよい。あるいは、ＣＰＵ１１０は、ステップＳ２０４を経てステップＳ２０６にて再度ＮＯとなった場合に、ステップＳ２２０の処理を実行してもよい。
【００７４】
このように、本実施の形態にかかる除湿システム１においては、タンクが満タンになることはないが室温を下げてしまう空気調和機と、室温を下げにくいがタンクが満タンになってしまう除湿機と、を連携させることによって、室温を下げ過ぎずに除湿を行うことができるものである。
＜第４の実施の形態＞
【００７５】
上記の実施の形態においては、室温が設定温度まで下がると除湿機３００に除湿を任せて、タンクの水が満タンになると空気調和機２００に除湿を任せるものであった。しかしながら、サーバ１００のＣＰＵ１１０は、通信インターフェイス１６０を介して、最初に除湿機３００によって除湿を開始させてから、タンクが満タンになると、空気調和機２００に除湿運転を引き継がせてもよい。
【００７６】
また、除湿の役割を空気調和機２００から除湿機３００に切り替えるトリガーや、除湿の役割を除湿機３００から空気調和機２００に切り替えるトリガーも、上記の実施の形態のものには限られない。
【００７７】
具体的には、他のトリガーに基づいて、空気調和機２００が除湿運転を停止した場合や運転強度を下げた場合に、サーバ１００のＣＰＵ１１０が通信インターフェイス１６０を介して、除湿機３００に除湿運転を開始させたり、運転強度を上げさせたりしてもよい。
【００７８】
また、他のトリガーに基づいて、除湿機３００が除湿運転を停止した場合や運転強度を下げた場合に、サーバ１００のＣＰＵ１１０が通信インターフェイス１６０を介して、空気調和機２００に除湿運転を開始させたり運転強度を上げさせたりしてもよい。
【００７９】
さらには、他のトリガーに基づいて、たとえばステップＳ２０８の後で、室温が設定温度よりも高くなった場合などに、サーバ１００のＣＰＵ１１０が通信インターフェイス１６０を介して、空気調和機２００に冷房運転とともに除湿運転を開始させて、除湿機３００に、除湿運転を終了させたり、運転強度を下げさせたりしてもよい。つまり、空気調和機２００が除湿を再開できる状況になると、除湿機３００から空気調和機２００に除湿の役割を切り替えてもよい。
【００８０】
また、他のトリガーに基づいて、たとえばステップＳ２１６の後で、サーバ１００のＣＰＵ１１０が通信インターフェイス１６０を介して、除湿機３００のタンクの水が捨てられて空になったことを認識すると、除湿機３００に除湿運転を開始させたり強度を上げさせて、空気調和機２００に除湿運転を停止させたり、運転強度を下げさせたりしてもよい。つまり、除湿機３００が除湿を再開できる状況になると、空気調和機２００から除湿機３００に除湿の役割を切り替えてもよい。
＜第５の実施の形態＞
【００８１】
上記の実施の形態の除湿システム１の各装置の役割の一部または全部を他の装置が実行してもよい。たとえば、サーバ１００や空気調和機２００や除湿機３００などの各々の役割の一部または全部を別の装置が担ったり、各々の役割の一部または全部を複数の装置で担ったりしてもよい。具体的には、サーバ１００や空気調和機２００や除湿機３００の役割を、クラウド上の多数の装置が担ったり、空気調和機２００や除湿機３００と通信可能な通信端末のアプリケーションプログラムが担ったりしてもよい。
＜まとめ＞
【００８２】
上記の実施の形態においては、冷房機能を利用した除湿機能を有する空気調和機と、除湿機能を有する除湿機とを備え、空気調和機が除湿運転をＯＦＦする際に、除湿機が除湿運転の強度を上げるまたは除湿運転をＯＮする、除湿システムが提供される。
【００８３】
好ましくは、空気調和機が除湿運転をＯＮする際に、除湿機が除湿運転の強度を下げるまたは除湿運転をＯＦＦする。
【００８４】
好ましくは、空気調和機は、除湿運転をＯＦＦする際に、除湿機が除湿運転の強度を上げるまたは除湿運転をＯＮしてから除湿運転をＯＦＦする。
【００８５】
好ましくは、除湿機のタンクの水量が所定以上である場合に、空気調和機は設定温度を下げて除湿運転を実行する。
【００８６】
上記の実施の形態においては、冷房機能を利用する除湿機能を有する空気調和機と、除湿機能を有する除湿機とを備え、除湿機が除湿運転をＯＦＦする際に、空気調和機が除湿運転を開始する、除湿システムが提供される。
【００８７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００８８】
１        ：除湿システム
１００    ：家電制御サーバ
１１０    ：ＣＰＵ
１２０    ：メモリ
１２１    ：ユーザ情報データ
１２２    ：機器情報データ
１４０    ：操作部
１６０    ：通信インターフェイス
２００    ：空気調和機
２１０    ：ＣＰＵ
２２０    ：メモリ
２３０    ：ディスプレイ
２４０    ：操作部
２５０    ：タッチパネル
２６０    ：通信インターフェイス
２７０    ：スピーカ
２８１    ：温度センサ
２８２    ：湿度センサ
２９０    ：空気調和機構
３００    ：除湿機
３１０    ：ＣＰＵ
３２０    ：メモリ
３３０    ：ディスプレイ
３４０    ：操作部
３５０    ：タッチパネル
３６０    ：通信インターフェイス
３７０    ：スピーカ
３８２    ：湿度センサ
３８３    ：タンク水量センサ
３９０    ：除湿機構
４００    ：ルータ
【図１】
2022000600.tif 000003
【図２】
2022000600.tif 000004
【図３】
2022000600.tif 000005
【図４】
2022000600.tif 000006
【図５】
2022000600.tif 000007
【図６】
2022000600.tif 000008
【図７】
2022000600.tif 000009
【図８】
2022000600.tif 000010